【手続補正書】
【提出日】平成30年11月13日(2018.11.13)
【手続補正１】
【補正対象書類名】特許請求の範囲
【補正対象項目名】全文
【補正方法】変更
【補正の内容】
【特許請求の範囲】
【請求項１】
フィルム状の熱流束センサであって、
第１面（１２ａ）と前記第１面の反対側の第２面（１２ｂ）とを有し、可撓性を有するフィルム状の絶縁部材（１２）と、
前記絶縁部材の内部に配置され、第１熱電材料で構成された複数の第１熱電部材（１８）と、
前記絶縁部材の内部に配置され、前記第１熱電材料と異なる第２熱電材料で構成され、前記複数の第１熱電部材のそれぞれと交互に並ぶ複数の第２熱電部材（２０）と、
前記複数の第１熱電部材および前記複数の第２熱電部材に対して前記第１面側に配置され、前記複数の第１熱電部材および前記複数の第２熱電部材のうち隣り合って並ぶ第１熱電部材と第２熱電部材とを接続する複数の第１導体パターン（２２）と、
前記複数の第１熱電部材および前記複数の第２熱電部材に対して前記第２面側に配置され、前記複数の第１熱電部材および前記複数の第２熱電部材のうち隣り合って並ぶ第１熱電部材と第２熱電部材とを接続する複数の第２導体パターン（２４）とを備え、
前記絶縁部材は、互いに対向する一対の壁面（４１、４２）を有し、
前記一対の壁面は、前記絶縁部材のうち前記第１熱電部材、前記第２熱電部材、前記第１導体パターンおよび前記第２導体パターンが配置されていない領域において、前記第１面から前記第２面まで延びているとともに、前記第１面および前記第２面において、線状に延びており、
前記絶縁部材が前記第１面および前記第２面に沿う方向で引っ張られた場合、前記一対の壁面の間に、前記第１面から前記第２面まで前記絶縁部材を貫通する空間部（４０）が形成されており、
前記熱流束センサは、前記絶縁部材と同じ寸法条件で比較して前記絶縁部材よりも延伸性が高い延伸性部材（１４、１６）を備え、
前記延伸性部材は、前記絶縁部材の前記第１面と前記第２面の少なくとも一方に積層されている熱流束センサ。
【請求項２】
前記延伸性部材は、通気性を有する請求項１に記載の熱流束センサ。
【請求項３】
前記空間部は、前記絶縁部材の前記第１面において、１つの基準部（４３１）から３本以上の線状空間部（４３２）が放射状に延びる放射状空間部（４３）を有する請求項１または２に記載の熱流束センサ。
【請求項４】
フィルム状の熱流束センサであって、
第１面（１２ａ）と前記第１面の反対側の第２面（１２ｂ）とを有し、可撓性を有するフィルム状の絶縁部材（１２）と、
前記絶縁部材の内部に配置され、第１熱電材料で構成された複数の第１熱電部材（１８）と、
前記絶縁部材の内部に配置され、前記第１熱電材料と異なる第２熱電材料で構成され、前記複数の第１熱電部材のそれぞれと交互に並ぶ複数の第２熱電部材（２０）と、
前記複数の第１熱電部材および前記複数の第２熱電部材に対して前記第１面側に配置され、前記複数の第１熱電部材および前記複数の第２熱電部材のうち隣り合って並ぶ第１熱電部材と第２熱電部材とを接続する複数の第１導体パターン（２２）と、
前記複数の第１熱電部材および前記複数の第２熱電部材に対して前記第２面側に配置され、前記複数の第１熱電部材および前記複数の第２熱電部材のうち隣り合って並ぶ第１熱電部材と第２熱電部材とを接続する複数の第２導体パターン（２４）とを備え、
前記絶縁部材は、互いに対向する一対の壁面（４１、４２）を有し、
前記一対の壁面は、前記絶縁部材のうち前記第１熱電部材、前記第２熱電部材、前記第１導体パターンおよび前記第２導体パターンが配置されていない領域において、前記第１面から前記第２面まで延びているとともに、前記第１面および前記第２面において、線状に延びており、
前記絶縁部材が前記第１面および前記第２面に沿う方向で引っ張られた場合、前記一対の壁面の間に、前記第１面から前記第２面まで前記絶縁部材を貫通する空間部（４０）が形成されており、
前記空間部は、前記絶縁部材の前記第１面において、１つの基準部（４３１）から３本以上の線状空間部（４３２）が放射状に延びる放射状空間部（４３）を有する熱流束センサ。
【請求項５】
前記熱流束センサは、第１面（１０ａ）と前記第１面の反対側の第２面（１０ｂ）とを有し、
前記熱流束センサの前記第１面の外周部に、複数の外周側空間部（７０）が形成されており、
前記複数の外周側空間部のそれぞれは、前記熱流束センサの前記第１面から前記第２面まで前記熱流束センサを貫通するとともに、前記基準部側から前記熱流束センサの外周側に向かって延びており、
前記複数の外周側空間部のそれぞれにおける前記第１面での幅（Ｗ１）は、前記基準部側から前記外周側に向かうにつれて大きくなっている請求項３または４に記載の熱流束センサ。
【請求項６】
前記絶縁部材は、フィルム状の基材（２６）と、フィルム状の第１保護部材（２８）と、フィルム状の第２保護部材（３０）とを含み、
前記基材は、第１面（２６ａ）と前記第１面の反対側の第２面（２６ｂ）を有し、
前記第１保護部材は、前記基材の第１面に積層され、
前記第２保護部材は、前記基材の第２面に積層され、
前記第１保護部材の前記基材側とは反対側の表面（２８ｂ）が、前記絶縁部材の第１面を構成し、
前記第２保護部材の前記基材側とは反対側の表面（３０ｂ）が、前記絶縁部材の第２面を構成し、
前記複数の第１熱電部材は、前記基材の厚さ方向で前記基材を貫通する複数の第１貫通孔（２６１）に配置され、
前記複数の第２熱電部材は、前記基材の厚さ方向で前記基材を貫通し、前記複数の第１貫通孔とは異なる複数の第２貫通孔（２６２）に配置され、
前記複数の第１導体パターンは、前記基材と前記第１保護部材の間に配置され、
前記複数の第２導体パターンは、前記基材と前記第２保護部材の間に配置されている請求項１ないし５のいずれか１つに記載の熱流束センサ。
【請求項７】
前記絶縁部材は、フィルム状の基材（２６）で構成され、
前記基材は、第１面（２６ａ）と前記第１面の反対側の第２面（２６ｂ）を有し、
前記基材の第１面が、前記絶縁部材の第１面を構成し、
前記基材の第２面が、前記絶縁部材の第２面を構成し、
前記複数の第１熱電部材は、前記基材の厚さ方向で前記基材を貫通する複数の第１貫通孔（２６１）に配置され、
前記複数の第２熱電部材は、前記基材の厚さ方向で前記基材を貫通し、前記複数の第１貫通孔とは異なる複数の第２貫通孔（２６２）に配置され、
前記複数の第１導体パターンは、前記基材の第１面に配置され、
前記複数の第２導体パターンは、前記基材の第２面に配置されている請求項１ないし５のいずれか１つに記載の熱流束センサ。
【手続補正２】
【補正対象書類名】明細書
【補正対象項目名】０００８
【補正方法】変更
【補正の内容】
【０００８】
上記目的を達成するため、請求項１に記載の発明は、
フィルム状の熱流束センサであって、
第１面（１２ａ）と第１面の反対側の第２面（１２ｂ）とを有し、可撓性を有するフィルム状の絶縁部材（１２）と、
絶縁部材の内部に配置され、第１熱電材料で構成された複数の第１熱電部材（１８）と、
絶縁部材の内部に配置され、第１熱電材料と異なる第２熱電材料で構成され、複数の第１熱電部材のそれぞれと交互に並ぶ複数の第２熱電部材（２０）と、
複数の第１熱電部材および複数の第２熱電部材に対して第１面側に配置され、複数の第１熱電部材および複数の第２熱電部材のうち隣り合って並ぶ第１熱電部材と第２熱電部材とを接続する複数の第１導体パターン（２２）と、
複数の第１熱電部材および複数の第２熱電部材に対して第２面側に配置され、複数の第１熱電部材および複数の第２熱電部材のうち隣り合って並ぶ第１熱電部材と第２熱電部材とを接続する複数の第２導体パターン（２４）とを備え、
絶縁部材は、互いに対向する一対の壁面（４１、４２）を有し、
一対の壁面は、絶縁部材のうち第１熱電部材、第２熱電部材、第１導体パターンおよび第２導体パターンが配置されていない領域において、第１面から第２面まで延びているとともに、第１面および第２面において、線状に延びており、
絶縁部材が第１面および第２面に沿う方向で引っ張られた場合、一対の壁面の間に、第１面から第２面まで絶縁部材を貫通する空間部（４０）が形成されており、
熱流束センサは、絶縁部材と同じ寸法条件で比較して絶縁部材よりも延伸性が高い延伸性部材（１４、１６）を備え、
延伸性部材は、絶縁部材の第１面と第２面の少なくとも一方に積層されている。
また、請求項４に記載の発明は、
フィルム状の熱流束センサであって、
第１面（１２ａ）と第１面の反対側の第２面（１２ｂ）とを有し、可撓性を有するフィルム状の絶縁部材（１２）と、
絶縁部材の内部に配置され、第１熱電材料で構成された複数の第１熱電部材（１８）と、
絶縁部材の内部に配置され、第１熱電材料と異なる第２熱電材料で構成され、複数の第１熱電部材のそれぞれと交互に並ぶ複数の第２熱電部材（２０）と、
複数の第１熱電部材および複数の第２熱電部材に対して第１面側に配置され、複数の第１熱電部材および複数の第２熱電部材のうち隣り合って並ぶ第１熱電部材と第２熱電部材とを接続する複数の第１導体パターン（２２）と、
複数の第１熱電部材および複数の第２熱電部材に対して第２面側に配置され、複数の第１熱電部材および複数の第２熱電部材のうち隣り合って並ぶ第１熱電部材と第２熱電部材とを接続する複数の第２導体パターン（２４）とを備え、
絶縁部材は、互いに対向する一対の壁面（４１、４２）を有し、
一対の壁面は、絶縁部材のうち第１熱電部材、第２熱電部材、第１導体パターンおよび第２導体パターンが配置されていない領域において、第１面から第２面まで延びているとともに、第１面および第２面において、線状に延びており、
絶縁部材が第１面および第２面に沿う方向で引っ張られた場合、一対の壁面の間に、第１面から第２面まで絶縁部材を貫通する空間部（４０）が形成されており、
空間部は、絶縁部材の第１面において、１つの基準部（４３１）から３本以上の線状空間部（４３２）が放射状に延びる放射状空間部（４３）を有する。
【手続補正３】
【補正対象書類名】明細書
【補正対象項目名】０００９
【補正方法】変更
【補正の内容】
【０００９】
請求項１、４に記載の熱流束センサによれば、一対の壁面が絶縁部材の第１面から第２面まで延びて形成されている。一対の壁面が第１面および第２面において線状に配置されている。これにより、絶縁部材の片面側だけでなく、絶縁部材の第１面側および第２面側を含む絶縁部材の全体が延伸性を有する。すなわち、絶縁部材の第１面および第２面に沿う方向に、絶縁部材の全体を延伸させることができる。